(57)【要約】本発明は、移動端末（１０１）が実行する種々のタスクを経時的に分配するための方法、デバイスおよびプロセスに関する。本発明の考え方は、端末が充電デバイス（１０２）に接続されている時にできるだけ多くの、電力を消費する遅延可能なタスクを実行することで前記端末（１０１）の通話および待ち受け時間を増加することである。先進の解決策は、例えば、その計算が収集されたユーザ・プロファイル情報に基づく理想的なタスク実行時間間隔を利用する。前記端末（１０１）とタスク実行を共有する、または前記端末（１０１）のためにタスクの一部を処理するメモリおよび処理手段を備えたインテリジェント充電デバイス（１０２）が提供される。
2005521336.tif 000002
【特許請求の範囲】
【請求項１】
実行が後の時点に遅延させられた、移動無線通信端末（１０１）が実行するタスクの実行時間を決定するための方法であって、
遅れて実行できる１つまたはそれ以上のタスクを実行する命令（３０１）を前記移動端末（１０１）内で受信するステップ（３０２）と、
前記命令を待ち行列内に記憶するステップと、
前記端末（１０１）が充電デバイス（１０２）に結合されているかどうかを前記端末（１０１）内でチェックするステップ（３０３）と、
前記移動端末（１０１）と前記充電デバイス（１０２）との間の電気的接続を認識した時に前記タスクを実行するステップと、を含むことを特徴とする方法。
【請求項２】
前記命令を受信するステップが、前記移動端末（１０１）のユーザ・インタフェース（２０２）を介してユーザから命令を受信するステップを含むことを特徴とする、請求項１に記載の方法。
【請求項３】
前記命令を受信するステップが、保守または更新プロセスによってトリガされる前記移動端末（１０１）内で内部的に生成される命令を受信するステップを含むことを特徴とする、請求項１または２に記載の方法。
【請求項４】
前記方法が、前記命令内の処理すべきデータの少なくとも一部を、記憶（２０９）のために前記充電デバイス（１０２）に転送するステップと、前記タスクの実行ステップ中に前記データを取り出すステップとをさらに含むことを特徴とする、請求項１に記載の方法。
【請求項５】
前記命令内の処理すべきデータの少なくとも一部を、記憶（２０９）および処理（２１０）のために前記充電デバイス（１０２）に転送するステップと、前記タスクの実行ステップ中に前記充電デバイス（１０２）から処理されたデータを取り出すステップとをさらに含むことを特徴とする、請求項１に記載の方法。
【請求項６】
実行が後の時点に遅延させられた、移動無線通信端末（１０１）が実行するタスクの実行時間を決定するための方法であって、
ある期間内にユーザのバッテリ充電ルーチンを学習するステップと、
前記移動端末（１０１）が充電器（１０２）に接続されている尤度が高い時間間隔を計算するステップ（４０１）と、
遅れて実行できる１つまたはそれ以上のタスクを実行する命令を前記移動端末内で受信するステップ（４０２）と、
前記命令を待ち行列内に記憶するステップと、
前記計算された時間間隔の１つに入ると前記タスクを実行するステップ（４０３）と、を含むことを特徴とする方法。
【請求項７】
前記命令を受信するステップが、前記移動端末（１０１）のユーザ・インタフェース（２０２）を介してユーザから命令を受信するステップを含むことを特徴とする、請求項６に記載の方法。
【請求項８】
前記命令を受信するステップが、保守または更新プロセスによってトリガされる前記移動端末（１０１）内で内部的に生成される命令を受信するステップを含むことを特徴とする、請求項６または７に記載の方法。
【請求項９】
前記時間間隔内に前記タスクを実行するステップが、最小限のコストで少なくとも最小の許容サービス品質（ＱｏＳ）を提供する接続速度および／または通信チャネルを用いて実行されることを特徴とする、請求項６に記載の方法。
【請求項１０】
前記時間間隔内に前記タスクを実行するステップが、前記移動端末（１０１）がバッテリ充電装置（１０２）に結合されているかどうかをチェックし、任意の待ち行列に入れられたタスクの実行を開始するか否かを所定の規則のセットに従って決定する追加のステップを含むことを特徴とする、請求項６に記載の方法。
【請求項１１】
実行が後の時点に遅延させられた、移動無線通信端末（１０１）が実行するタスクの実行時間を決定するための方法であって、
ある期間内にユーザのバッテリ充電ルーチンを学習するステップと、
前記移動端末（１０１）が充電器（１０２）に接続されている尤度が高い時間間隔を計算するステップ（５０１）と、
遅れて実行できる１つまたはそれ以上のタスクを実行する命令を前記移動端末内で受信するステップ（５０２）と、
前記時間間隔中に実行すべき前記命令を待ち行列内に記憶するステップ（５０３）と、
前記時間間隔に入ると、前記移動端末が前記充電デバイス（１０２）に結合されているかどうかを前記移動端末（１０１）内でチェックし、接続されている場合には前記タスクを実行するステップ（５０４）と、
前記移動端末（１０１）が前記充電デバイス（１０２）に結合されていない場合には、以下の条件、すなわち、
前記移動端末（１０１）が前記充電デバイス（１０２）に接続される、
前記タスクの実行延期の最大制限時間が近づいている、
利用可能なバッテリ電力レベルが限界に近づいていて、前記遅延させられたタスクの少なくとも一部の実行が危ぶまれる、
のいずれか１つが最初に満たされるまで、前記時間間隔内での前記タスクの実行を遅延させるステップ（５０５）と、を含むことを特徴とする方法。
【請求項１２】
エアインタフェース（２０４）上で無線の音声およびデータ通信が可能な移動無線通信端末（１０１）であって、前記端末（１０１）が、タスクを処理するための処理手段および前記タスクをタイミングどおりに実行するためのタイミング手段（２０３）を含み、前記端末（１０１）が、そのようなタスクの各々に関連する命令およびデータを記憶するためのメモリ手段（２０１）を含み、前記端末（１０１）が、遅延可能なタスクに関する受信した命令を前記メモリ手段（２０１）内の待ち行列に記憶し、充電デバイス（１０２）に結合されるまで待ち、次に、前記タスクを実行することを特徴とする移動無線通信端末（１０１）。
【請求項１３】
遅延可能なタスクに関する記憶された命令の少なくとも一部が、前記端末のユーザ・インタフェース（２０２）を介してもともとはユーザから受信されたことを特徴とする、請求項１２に記載の移動無線通信端末。
【請求項１４】
遅延可能なタスクに関する記憶された命令の少なくとも一部が、前記端末（１０１）の内部保守または更新プロセス（２０１）によって生成されることを特徴とする、請求項１２に記載の移動無線通信端末。
【請求項１５】
エアインタフェース（２０４）上で無線の音声およびデータ通信が可能な移動無線通信端末（１０１）であって、前記端末がタスクを処理するための処理手段および前記タスクをタイミングどおりに実行するためのタイミング手段（２０３）と、そのようなタスクの各々に関連する命令およびデータを記憶するためのメモリ手段（２０１）と、前記端末（１０１）と前記充電デバイス（１０２）との間のデータ接続を行うためのデータ伝送手段（２０６）とを含み、前記端末（１０１）が、前記命令内の処理すべきデータの少なくとも一部を、記憶（２０９）のために前記充電デバイス（１０２）に転送し、前記タスクの実行中に前記記憶されたデータを取り出すように構成されることを特徴とする移動無線通信端末（１０１）。
【請求項１６】
前記命令内の処理すべきデータの少なくとも一部を処理（２１０）のために前記充電デバイス（１０２）に転送し、前記タスクの実行中に処理されたデータを取り出すように構成されることを特徴とする、請求項１５に記載の移動無線通信端末。
【請求項１７】
エアインタフェース（２０４）上で無線の音声およびデータ通信が可能な移動無線通信端末（１０１）であって、前記端末が、タスクを処理するための処理手段および前記タスクをタイミングどおりに実行するためのタイミング手段（２０３）と、そのようなタスクの各々に関連する命令およびデータを記憶するためのメモリ手段（２０１）とを含み、前記端末（１０１）の前記処理手段（２０３）が、ある期間内にユーザのバッテリ充電ルーチンを学習し、前記端末（１０１）が充電器（１０２）に接続されている尤度が高い時間間隔を計算し、前記計算された時間間隔の１つに入ると前記メモリ（２０１）内に記憶された命令を実行して１つまたはそれ以上の遅延可能なタスクを実行するように構成されることを特徴とする移動無線通信端末（１０１）。
【請求項１８】
前記処理手段（２０３）が、最小限のコストで少なくとも最小の許容サービス品質（ＱｏＳ）を提供する接続速度および／または通信チャネルを用いて前記時間間隔内に前記タスクを実行するように構成されることを特徴とする、請求項１７に記載の移動無線通信端末。
【請求項１９】
前記処理手段（２０３）が、前記移動端末（１０１）がバッテリ充電デバイス（１０２）に結合されているかどうかを前記実行段階でチェックし、任意の待ち行列に入れられたタスクの実行を開始するか否かを所定の規則のセットに従って決定するように構成されることを特徴とする、請求項１７に記載の移動無線通信端末。
【請求項２０】
好ましいトラヒック状況および転送コストの利用を可能にするためにサービス・プロバイダおよび／またはネットワーク通信業者と通信するように構成されることを特徴とする、請求項１８に記載の移動無線通信端末。
【請求項２１】
エアインタフェース上（２０４）で無線の音声およびデータ通信が可能な移動無線通信端末（１０１）であって、前記端末が、タスクを処理するための処理手段および前記タスクをタイミングどおりに実行するためのタイミング手段（２０３）と、そのようなタスクの各々に関連する命令およびデータを記憶するためのメモリ手段（２０１）とを含み、前記端末（１０１）が、ある期間内にユーザのバッテリ充電ルーチンを学習し、前記移動端末（１０１）が充電器（１０２）に接続されている尤度が高い時間間隔を計算し、遅れて実行できる１つまたはそれ以上のタスクを実行する命令を前記移動端末（１０１）内で受信し、メモリ（２０１）内にある待ち行列（２０１）に命令を記憶し、前記端末が充電デバイス（１０２）に接続されているかどうかを前記端末内でチェックし、接続されている場合には前記タスクを実行し、または、前記移動端末（１０１）が充電デバイス（１０２）に接続されていない場合には、以下の条件、すなわち、
前記移動端末（１０１）が前記充電器（１０２）に接続される、
前記タスクの実行遅延の最大制限時間が近づいている、
利用可能なバッテリ電力レベルが限界に近づいていて、前記遅延されたタスクの少なくとも一部の実行が危ぶまれる、
のいずれか１つが最初に満たされるまで、前記時間間隔内での前記タスクの実行を遅延させるように構成されることを特徴とする移動無線通信端末（１０１）。
【請求項２２】
実質的にＵＭＴＳ端末であることを特徴とする、請求項１２、１７または２１に記載の移動無線通信端末。
【請求項２３】
移動無線通信端末（１０１）のバッテリ（２０５）を充電可能な充電デバイス（１０２）であって、前記充電デバイス（１０２）が、前記充電デバイス（１０２）と移動無線通信端末（１０１）との間の双方向データ接続のためのデータ伝送手段（２０８）を含み、前記充電デバイス（１０２）がデータを記憶するためのメモリ手段（２０９）を含み、前記充電デバイス（１０２）が、前記端末（１０１）によって実行すべきタスクに関連する命令内の処理すべきデータの少なくとも一部を記憶するように構成され、前記端末（１０１）から要求があれば前記移動端末（１０１）に前記記憶されたデータを返送するように構成されることを特徴とする充電デバイス（１０２）。
【請求項２４】
移動無線通信端末（１０１）のバッテリ（２０５）を充電可能な充電デバイス（１０２）であって、前記充電デバイス（１０２）が、前記充電デバイス（１０２）と移動無線通信端末（１０１）との間の双方向データ接続のためのデータ伝送手段（２０８）を含み、前記充電デバイス（１０２）がデータを記憶するためのメモリ手段（２０９）を含み、前記充電デバイス（１０２）が、前記端末（１０１）と前記充電デバイス（１０２）との間のタスク実行を共有するための処理手段（２１０）を備えることを特徴とする充電デバイス（１０２）。
【請求項２５】
前記端末（１０１）のためにタスクを実行するための処理手段（２１０）を備えることを特徴とする、請求項２４に記載の充電デバイス。
【請求項２６】
エアインタフェース（２０４）上で無線の音声およびデータ通信が可能な移動無線通信端末（１０１）内でタスクを遅延実行するためのプロセスであって、前記端末が、タスクを処理するための処理手段および前記タスクをタイミングどおりに実行するためのタイミング手段（２０３）を含み、前記端末が、そのようなタスクの各々に関連する命令およびデータを記憶するためのメモリ手段（２０１）を含み、前記プロセスが、
前記移動端末（１０１）がタスクを実行する少なくとも１つの命令を受信するステップ（３０１）と、
前記端末（１０１）がタスクを遅延可能なバックグラウンド・タスクとして識別するステップ（３０２）と、
前記端末（１０１）が遅延可能なタスクの実行に関連するデータをメモリ（２０１）内の待ち行列に記憶するステップと、
前記端末（１０１）のバッテリ（２０５）と充電デバイス（１０２）の電源（２０７）との間の接続を認識すると、前記端末（１０１）が前記端末（１０１）の処理手段（２０３）を用いて前記タスクを実行するステップ（３０３）と、を含むことを特徴とするプロセス。
【請求項２７】
遅延可能なタスクに関する前記受信された命令が、前記端末（１０１）のユーザ・インタフェース（２０２）を介してユーザから受信されることを特徴とする、請求項２６に記載のプロセス。
【請求項２８】
遅延可能なタスクに関する前記受信された命令が、前記移動端末（１０１）内で内部的に生成され、メモリ（２０１）内に記憶された保守または更新プロセスによってトリガされ、前記処理ユニット（２０３）内で実行されることを特徴とする、請求項２６に記載のプロセス。
【請求項２９】
遅延可能なタスクの前記識別に関する情報が前記受信された命令に含まれることを特徴とする、請求項２６に記載のプロセス。
【請求項３０】
遅延可能なタスクの前記識別に関する情報が前記端末のメモリ（２０１）内に記憶された所定の緊急タスク・リストにあることを特徴とする、請求項２６に記載のプロセス。
【請求項３１】
エアインタフェース（２０４）上で無線の音声およびデータ通信が可能な移動無線通信端末（１０１）内でタスクを遅延実行するためのプロセスであって、前記端末が、タスクを処理するための処理手段および前記タスクをタイミングどおりに実行するためのタイミング手段（２０３）を含み、前記端末が、そのようなタスクの各々に関連する命令およびデータを記憶するためのメモリ手段（２０１）を含み、前記プロセスが、
前記移動端末（１０１）がタスクを実行する少なくとも１つの命令を受信するステップ（４０１）と、
前記端末（１０１）がタスクを遅延可能なバックグラウンド・タスクとして識別するステップ（４０２）と、
前記端末（１０１）が遅延可能なタスクの実行に関連するデータをメモリ（２０１）内の待ち行列に記憶するステップと、
前記端末（１０１）が充電デバイス（１０２）に接続されている事前計算された時間間隔に入ると、前記端末（１０１）がユーザのバッテリ充電ルーチンの学習に基いて、処理ユニット（２０３）を用いて前記タスクを実行するステップ（４０３）と、を含むことを特徴とするプロセス。
【請求項３２】
前記端末（１０１）が前記時間間隔内および前記タスク実行前に前記端末（１０１）が充電デバイス（１０２）に結合されているかどうかをチェックし、前記タスクの実行を開始するか否かを所定の規則のセットに従って決定することを特徴とする、請求項３１に記載のプロセス。
【発明の詳細な説明】
【技術分野】
【０００１】
本発明は、移動端末が実行する種々のタスクを経時的に分配するための方法、デバイスおよびプロセスに関する。
【背景技術】
【０００２】
現在、移動体インターネットおよび第３世代技術に関する新しい機能を備えたことでより電力を必要とする移動端末の消費電力が問題になっている。また、要求されるサービスの時間と性質によって異なるネットワーク容量、コストおよびＱｏＳ（サービス品質）要求のような他の問題も考慮しなければならない。
【０００３】
移動端末によるデータの柔軟なダウンロードまたは、例えば、電子メールの送受信に関連するいくつかの知られている解決策がある。米国特許第５，８９６，５６６号および５，６８９，８２５号は、ＰＬＭＮ（公衆陸上移動体通信網）網への接続機能を内蔵したバッテリ充電器モジュールの使用を開示している。ソフトウェア更新の利用可能性が移動端末によって検出され、端末が充電器内に配置されている時に、更新内容が固定回線網の品質および速度で充電器を介してダウンロードされる。しかし、この解決策は、どちらかといえばコスト高で複雑な二重接続のために、利用できるエアインタフェース上の帯域幅が狭く、大容量のデータ・ファイルの転送が遅く、信号品質が低いと誤り率が上がる環境でのみ可能である。
【０００４】
Ｅメールおよび他のデータ通信機能を備えた送受器であるＮｏｋｉａ９１１０ｉ（Ｎｏｋｉａ  Ｃｏｒｐｏｒａｔｉｏｎの登録商標）は、インターネットのウェブ・ページなどからメールや情報を定時に取り込む内蔵機能を有する。しかし、省電力または低コスト化は図られていない。
【０００５】
ＵＭＴＳ（汎用移動体通信システム）端末を含む第３世代移動端末には、エアインタフェース上でデータ・ファイルを十分に誤りなく迅速にダウンロードする機能および容量があり、この点で移動端末をＰＬＭＮ網に接続されたデバイスにほぼ匹敵する存在に押し上げている。同時に、使用時に通話可能時間と待ち受け時間とをますます長くすることが要求されている。より高性能のバッテリを開発し、電力管理を効率化することで端末の電力性能はさらに向上する。しかし、移動体インターネット・ブラウジングの到来によって想定されるように、音楽または映像ファイルを頻繁にダウンロードするには、これらの移動端末の消費電力を低減するすべての解決策を探ることが必要である。
【特許文献１】米国特許第５，８９６，５６６号
【特許文献２】米国特許第５，６８９，８２５号
【発明の開示】
【発明が解決しようとする課題】
【０００６】
上記の問題を克服するために、本発明は、ある種のタスクと機能とを実行する際の移動端末のバッテリ電力の必要を最小限にするという考えに基いて、移動端末が実行する種々のタスクを経時的に分配するための方法、デバイスおよびプロセスを開示する。これについての基本的な前提は、移動端末が複雑になればなるほど、正確な実行時間があまり重要でないいくつかの電力を消費する動作が存在することが明らかであるという点である。また、何らかの理由で、即時ではなく、将来、高性能の移動端末によって実行されることがより好ましいタスクを識別することが可能である。
【課題を解決するための手段】
【０００７】
本発明は、実行が後の時点に遅延させられた、移動無線通信端末が実行するタスクの実行時間を決定するための方法であって、遅れて実行できる１つまたはそれ以上のタスクを実行する命令を上記移動端末内で受信するステップと、上記命令を待ち行列内に記憶するステップと、上記端末が充電デバイスに結合されているかどうかを上記端末内でチェックするステップと、上記移動端末と上記充電デバイスとの間の電気的接続を認識した時上記タスクを実行するステップとを含むことを特徴とする方法を提供する。
【０００８】
別の態様においては、本発明は、実行が後の時点に遅延させられた、移動無線通信端末が実行するタスクの実行時間を決定するための方法であって、ある期間内にユーザのバッテリ充電ルーチンを学習するステップと、上記移動端末が充電器に接続されている尤度が高い時間間隔を計算するステップと、遅れて実行できる１つまたはそれ以上のタスクを実行する命令を上記移動端末内で受信するステップと、上記命令を待ち行列内に記憶するステップと、上記計算された時間間隔の１つに入った時上記タスクを実行するステップとを含むことを特徴とする方法を提供する。
【０００９】
さらに別の態様においては、本発明は、実行が後の時点に遅延させられた、移動無線通信端末が実行するタスクの実行時間を決定するための方法であって、ある期間内にユーザのバッテリ充電ルーチンを学習するステップと、上記移動端末が充電器に接続されている尤度が高い時間間隔を計算するステップと、遅れて実行できる１つまたはそれ以上のタスクを実行する命令を上記移動端末内で受信するステップと、上記時間間隔中に実行すべき上記命令を待ち行列内に記憶するステップと、上記計算された時間間隔に入ると、上記移動端末が充電デバイスに結合されているかどうかを上記端末内でチェックし、接続されている場合には、上記タスクを実行するステップと、移動端末が充電デバイスに結合されていない場合には、以下の条件、すなわち、移動端末が充電デバイスに接続される、上記タスクの実行遅延の最大制限時間が近づいている、利用可能なバッテリ電力レベルが限界に近づいていて、上記遅延されたタスクの少なくとも一部の実行が危ぶまれる、のいずれか１つが最初に満たされるまで、上記時間間隔内での上記タスクの実行を遅延させるステップとを含むことを特徴とする方法を提供する。
【００１０】
さらに別の態様では、本発明は、エアインタフェース上で無線の音声およびデータ通信が可能な移動無線通信端末であって、タスクを処理するための処理手段および上記タスクをタイミングどおりに実行するためのタイミング手段を含み、そのようなタスクの各々に関連する命令およびデータを記憶するためのメモリ手段を含み、遅延可能なタスクに関する受信した命令をメモリ内の待ち行列に記憶し、充電デバイスに結合されるまで待ち、次いで上記タスクを実行するように構成されることを特徴とする端末を提供する。
【００１１】
さらに別の態様においては、本発明は、エアインタフェース上で無線の音声およびデータ通信が可能な移動無線通信端末であって、タスクを処理するための処理手段および上記タスクをタイミングどおりに実行するためのタイミング手段と、そのようなタスクの各々に関連する命令およびデータを記憶するためのメモリ手段と、上記端末と上記充電デバイスとの間のデータ接続を行うためのデータ伝送手段とを含み、上記命令内の処理すべきデータの少なくとも一部を記憶のために上記充電デバイスに転送し、上記タスクの実行中に上記記憶されたデータを取り出すように構成されることを特徴とする端末を提供する。
【００１２】
さらに別の態様においては、本発明は、エアインタフェース上で無線の音声およびデータ通信が可能な移動無線通信端末であって、タスクを処理するための処理手段および上記タスクをタイミングどおりに実行するためのタイミング手段、そのようなタスクの各々に関連する命令およびデータを記憶するためのメモリ手段とを含む端末を提供する。上記端末の上記処理手段は、ある期間内にユーザのバッテリ充電ルーチンを学習し、上記端末が充電器に接続されている尤度が高い時間間隔を計算し、計算された時間間隔の１つに入るとメモリ内に記憶された命令を実行して１つまたはそれ以上の遅延可能なタスクを実行するように構成される。
【００１３】
さらに別の態様においては、本発明は、エアインタフェース上で無線の音声およびデータ通信が可能な移動無線通信端末であって、タスクを処理するための処理手段および上記タスクをタイミングどおりに実行するためのタイミング手段と、そのようなタスクの各々に関連する命令およびデータを記憶するためのメモリ手段とを含み、ある期間内にユーザのバッテリ充電ルーチンを学習し、上記移動端末が充電器に接続されている尤度が高い時間間隔を計算し、遅れて実行できる１つまたはそれ以上のタスクを実行する命令を上記移動端末内で受信し、メモリ内にある待ち行列に命令を記憶し、上記端末が充電デバイスに結合されているかどうかを上記端末内でチェックし、結合されている場合には、上記タスクを実行し、上記移動端末が充電デバイスに結合されていない場合には、以下の条件、すなわち、移動端末が充電デバイスに接続される、上記タスクの実行遅延の最大制限時間が近づいている、利用可能なバッテリ電力レベルが限界に近づいていて、上記遅延されたタスクの少なくとも一部の実行が危ぶまれる、のいずれか１つが最初に満たされるまで、上記時間間隔内での上記タスクの実行を遅延させるように構成される端末を提供する。
【００１４】
さらに別の態様においては、本発明は、移動無線通信端末のバッテリを充電可能な充電デバイスであって、上記充電デバイスと移動無線通信端末との間の双方向データ接続のためのデータ伝送手段と、データを記憶するためのメモリ手段とを含み、上記端末によって実行すべきタスクに関連する命令内の処理すべきデータの少なくとも一部を記憶し、上記端末から要求があれば上記移動端末に上記記憶されたデータを返送するように構成された充電デバイスを提供する。
【００１５】
さらに別の態様においては、本発明は、移動無線通信端末のバッテリを充電可能な充電デバイスであって、上記充電デバイスと移動無線通信端末との間の双方向データ接続のためのデータ伝送手段と、データを記憶するためのメモリ手段とを含み、上記端末と上記充電デバイスとの間のタスク実行を共有するための処理手段を備えることを特徴とする充電デバイスを提供する。
【００１６】
さらに別の態様においては、本発明は、エアインタフェース上で無線の音声およびデータ通信が可能な移動無線通信端末内でタスクを遅延実行するためのプロセスであって、上記端末は、タスクを処理するための処理手段と、上記タスクをタイミングどおりに実行するためのタイミング手段と、前記各タスクに関連する命令およびデータを記憶するためのメモリ手段とを含み、上記移動端末がタスクを実行する少なくとも１つの命令を受信するステップと、上記端末がタスクを遅延可能なバックグラウンド・タスクとして識別するステップと、上記端末が遅延可能なタスクの実行に関連するデータをメモリ内の待ち行列に記憶するステップと、上記端末のバッテリと充電デバイスの電源との間の接続を認識すると、上記端末が上記端末の処理手段を用いて上記タスクを実行するステップとを含むことを特徴とするプロセスを提供する。
【００１７】
さらに別の態様においては、本発明は、エアインタフェース上で無線の音声およびデータ通信可能な移動無線通信端末内でタスクを遅延実行するためのプロセスであって、上記端末は、タスクを処理するための処理手段と、上記タスクをタイミングどおりに実行するためのタイミング手段と、上記タスクの各々に関連する命令およびデータを記憶するためのメモリ手段とを含み、上記移動端末がタスクを実行する少なくとも１つの命令を受信するステップと、上記端末がタスクを遅延可能なバックグラウンド・タスクとして識別するステップと、上記端末が遅延可能なタスクの実行に関連するデータをメモリ内の待ち行列に記憶するステップと、上記端末が充電デバイスに接続されている事前計算された時間間隔に入ると、上記端末が、ユーザのバッテリ充電ルーチンの学習に基いて、処理ユニットを用いて上記タスクを実行するステップとを含むことを特徴とするプロセスを提供する。
【００１８】
遅延可能なバックグラウンド動作の例は、以下の通りである。
・インターネット・ページ、音楽、ゲーム、写真などのコンテンツのダウンロードおよび先取り（プリキャッシング）
・個別化および推奨アプリケーションに関連するユーザのプロファイルおよび好みの計算
・定期的なウイルス・スキャン
・ファイル圧縮によるメモリまたはディスク空間／フラッシュ・メモリの節減
・ファイルの断片化防止のための記憶されたファイルの組織化とその結果としての端末の電力節減および高速化。
【００１９】
端末がバッテリ充電器に接続されている時に可能な限りのバッテリ消費電力が高い動作を実行する過程で、バッテリの待ち受け時間、および通話、表示および再生などの他の機能の動作時間は実際に大幅に増加する。
【００２０】
本発明の一実施形態においては、ユーザの習慣を学習し、学習した情報を用いて消費電力が大きいバックグラウンド・アクティビティの実行を自動的にスケジューリングするように端末を設定できる。端末が移動体ネットワークまたはサービスと通信する必要があるかどうかは自由である。端末が充電器に接続されているか否かにかかわらず所望のタスクを実行することができるが、例えば、帯域幅が低料金で利用でき、ユーザが夜間に端末のバッテリをフル充電することが多いということを端末が学習した夜間など、その他の点で好ましい条件の下で実行することができる。
【００２１】
本発明の別の実施形態においては、バックグラウンド動作の性能は、「インテリジェント」な充電ユニットと共有される。この場合、充電ユニットは、移動端末の処理電力、メモリおよび通信能力の各要件を低減することを可能にする。
以下に、添付の図面を参照しながら本発明について詳細に説明する。
【発明を実施するための最良の形態】
【００２２】
図１および図２を参照すると、本発明の概念に含まれる基本要素は、トランシーバ（２０４）、タイマ機能付き処理ユニット（２０３）、プログラム／データ・メモリ（２０１）、ユーザ・インタフェース（２０２）などの構成要素を含む移動端末（１０１）と、端末を収容し、そのバッテリ・コネクタと接続し、バッテリ（２０５）または上記端末（１０１）のバッテリを充電するように適合された充電デバイス（１０２）である。必須の電源（２０７）に加えて、「インテリジェント」充電器は、メモリ（２０９）、または端末（１０１）と充電器（１０２）との間で双方向データ接続（２０６，２０８）を用いて端末（１０１）から送信される情報を一時的に記憶または処理する処理装置（２１０）さえ含むことができる。通常、充電器（１０２）は家庭または自動車の電源コンセント（図示せず）に接続される。
【００２３】
本発明のこの第１の実施形態では、充電デバイス（１０２）は市販のデバイスと異なるものではない。充電デバイスが有する唯一の機能は移動端末（１０１）のバッテリを充電することである。この実施形態の特徴について、ユーザの充電行動を学習し活用するステップを組み込んだ実施形態を含めて、以下に詳細に説明する。
【００２４】
移動端末（１０１）は、とりわけ、音楽再生機能を備え、ユーザはインターネットを介して音楽データ・ファイルを移動端末（１０１）に配信するようにオーダしている。音楽ファイル形式は、例えば、人気があるＭＰ３フォーマット、または移動端末が処理できる他の任意のフォーマットである。ＭＰ３音楽ファイルを受信するのに必要な電力量はきわめて大きい。音楽を１分間聴くのに約１ＭＢのデータが必要なので、移動端末（１０１）のユーザは、本発明によれば、端末（１０１）がバッテリ充電器（１０２）に接続されている間に音楽をダウンロードして、消費電力が大きいバックグラウンド動作の処理を最適化したいと考える。また、ユーザがこの特定の音楽を今すぐに聴く時間がないかそれを望まない時には、ファイルを、例えば、２４時間以内に移動端末（１０１）に配信するようにオーダしている。この遅延ダウンロードはバックグラウンド・ダウンロードと呼ばれる。
【００２５】
図３のフローチャートによれば、本発明のプロセスはオーディオ・ファイル・ダウンロード・オーダ（３０１）を出したユーザによって開始される。移動端末（１０１）は、ユーザ（３０２）によって即時ダウンロードとバックグラウンド・ダウンロードのどちらが要求されているのかを確認する。ユーザがバックグラウンド・ダウンロードのデフォルトの最大時間として２４時間を有すると仮定する。この場合、特定の時間は指定されず、端末（１０１）は、コマンドをデフォルトのバックグラウンド・ダウンロード・コマンドとして識別し、通常動作を想定して、端末（１０１）がバッテリ充電器（１０２）に接続されている時に、このダウンロード・タスクをそのコマンド・スタックに入れるか、処理ユニット（２０３）によって後で実行されるメモリ（２０１）内のタスク（３０３）の同様の待ち行列に入れる。さらに、ユーザがその不規則なライフスタイルなどが理由で充電完了前に充電を中止しようとする場合、バッテリ（１０２）がフル充電されるまでタスクの実行を延期することが有利である。いずれにせよ、動作は、例えば、先入れ先出し（ＦＩＦＯ）方式、または所定の優先順位に従って待ち行列から取り出すことができる。コマンドおよびオペランドのスタックはシステム・プログラマの一般的な能力の範囲内であり、この機能についてはここでは詳細に説明する必要はない。
【００２６】
本発明の第２の実施形態の図４のフローチャートによれば、移動端末（１０１）はユーザのバッテリ充電ルーチンを分析し、バックグラウンド・タスク（４０１）を実行する好ましい時間間隔を計算している。この間隔中に、端末（１０１）は充電器（１０２）に接続されている可能性が最も高い。指定された実行時間（４０２）なしにタスクを実行する命令を受信した後で、端末（１０１）は計算された時間間隔に入る（４０３）までタスクの実行を延期する。通常、このようなタスクはインターネット・ページ、音楽、ゲーム、写真などのコンテンツのダウンロードおよび先取り（プリキャッシング）を含み、移動端末（１０１）は、サービス（または別のコンテンツ配信システム）に、例えば、午前１時〜６時の間にＭＰ３音楽ファイルを送信するよう要求する。これは、この時間には上記端末（１０１）は、通常、充電器（１０２）に接続されていてバッテリ（２０５）が充電されているからである。ユーザが朝に音楽ファイルを準備したいと思う時には、この指定された制限時間前にダウンロードが実行される。単なる内部計算（下記参照）を含む他のタイプのタスクは、この場合、優先度を低くして、データ転送を要求するすべてのタスクが実行されるまでその実行を延期する。
【００２７】
上記実施形態の場合には、ユーザの行動の監視に基づき、他の判断規則を考慮しない限り、移動端末（１０１）が充電デバイス（１０２）に接続されているか否かにかかわらず、計算された時間間隔内に遅延可能なタスクを実行し、それ故、時折、余分なバッテリ電力を消費する恐れがある。しかし、デバイスはユーザの行動を学習し、ユーザはこの機能の詳細を知るようになり、充電器からの電力のバックアップなしにダウンロードまたはバックグラウンド処理が実行されるケースの発生が実際にはまれであり、停電時にも影響がない。
【００２８】
本発明の第３の実施形態の場合、図５のフローチャートを参照すると、端末（１０１）は、また、遅延可能なタスク（５０２）の適切な実行時間を決定するために計算された時間間隔（５０１）を利用する。さらに、端末（１０１）は上記端末が実際に充電デバイス（１０２）に接続される（５０４）まで上記計算された時間間隔（５０３）内で待つ決定をして、利用可能な時間遅延の最後まで、または利用可能なバッテリ電力のレベルが限界に近づき待ち行列に入れたタスクを完全に実行することが危うくなるまで、この待ち時間を延ばすことができる。当然ながら、これらの状況を処理する他の方法も選ぶことができ、その一部は、例えば、タスク優先順位リスト（５０５）を発行することでユーザが決定することができる。例えば、端末（１０１）が深夜に充電器（１０２）に結合されている場合、一晩中端末はそこにあるだろうというのが妥当な推測である。簡単な実施態様では、端末（１０１）は、即時に、またはバッテリ（２０５）がフル充電された時に配信要求を送信する。別の実施態様の場合、端末（１０１）は、予測トラヒック状況およびデータ転送コストが最適になるまで、例えば、深夜まで待つことができる。
【００２９】
好ましいトラヒック状況およびデータ転送コストの利用を最適化するためには、端末（１０１）はサービス・プロバイダおよびネットワーク通信業者と通信しなければならない場合もある。即時のダウンロードと聴取で可能な場合と比較して遅い接続速度またはチャネルをトラヒックの閑散期に利用することで、通常の昼間のサービスが大幅に低いコストで達成できる。多くの計算を要するがエアインタフェース上でのデータ転送は皆無に近いタスクが存在する。そのようなタスクは、例えば、メモリまたはディスク空間／フラッシュ・メモリの節減のためのファイル圧縮に関するユーザのプロファイルおよび好みの計算と、ファイルの断片化防止のための記憶されたファイルの組織化とその結果としての端末の電力節減および高速化である。その場合、端末（１０１）を実際に充電器（１０２）に結合する必要がある本発明の電力節減の態様によって利益の大半が得られる。
【００３０】
待ち行列に入れられたタスクのよりインテリジェントなタイミングを開始する学習規則の一例を示す。ユーザが９５％の確率で端末のバッテリを毎晩充電し、平均して最小限６時間の充電およびバッテリのフル充電時間がある場合に、インテリジェント・コスト節減モードがトリガされる。
【００３１】
本発明の別の態様では、充電デバイス（１０２）は、移動端末（１０１）と処理タスクを共有し、または上記端末が充電ユニット（１０２）に挿入されている状態で移動端末（１０１）のためにある種のタスクを完全に実行することができる回路を備える。
【００３２】
本発明の別の実施形態は、移動端末（１０１）と充電デバイス（１０２）との間でのタスク実行の共有を含む。そのような場合、充電器（１０２）は単なるバッテリ充電に加えて各種機能を含み、移動端末用にカスタム構成される可能性が最も高い。本発明の一実施形態の場合、充電デバイス（１０２）は追加のメモリ容量（２０９）を備え、移動端末（１０１）自身に収容できる以上のデータをバックグラウンドでダウンロードすることが可能になる。次に、このデータを、例えば、今日のＧＳＭ（広域自動車通信システム）のセル方式の携帯電話のデバイス・メモリとＳＩＭ（Ｓｅｃｕｒｅ  Ｉｄｅｎｔｉｔｙ  Ｍｏｄｕｌｅ）カード・モジュールとの間で行われるのと同様の方法で、移動端末（１０１）と充電デバイス（１０２）との間でスワップまたはコピーすることができる。
【００３３】
別の実施形態の場合、充電デバイス（１０２）は専用の処理電力（２１０）を備える。これにより、移動端末（１０１）が生データを収集し、それを充電デバイス（１０２）に送信し、実行されたタスクの最終結果を受信するだけでよいタスクを実行することができる。メモリおよびエネルギーを消費するがタイム・クリティカルではないタスクを移動端末（１０１）内で実行することは、例えば、個別化および推奨アプリケーションに関連するユーザのプロファイルおよび好みの計算、定期的なウイルス・スキャン、ファイル圧縮によるメモリまたはディスク空間／フラッシュ・メモリの節減、ファイルの断片化防止のための記憶されたファイルの組織化とその結果としての端末の電力節減および高速化の場合には、ユーザに付加価値を与えるものではない。
【００３４】
バックグラウンド・タスクの一部はユーザによってのみ開始されるが、その多くは事前プログラミングされたサービスおよび保守ルーチンの一部とすることができ、したがって、システムによって自動的に起動されスケジューリングされる。即時ウイルス・スキャンなど、ユーザによって任意のバックグラウンド・タスクの起動を手動で無効にすることが可能であるべきなのは当然である。
【００３５】
上記の実施形態の一部を実施するには、移動端末（１０１）と充電デバイス（１０２）との間のデータ接続（２０６，２０８）と、プロセスを制御する適当なプロトコルとソフトウェアとが必要である。しかし、今日の移動端末は、パーソナル・コンピュータ、センサ、ポインティング・デバイスなどの他のデバイスとのデータ交換を処理する標準化されたプラットフォームをますます十分に備える傾向にある。そのようなプラットフォームは、無線の赤外線およびＬＰＲＦ（例えば、ブルートゥース）に基づくパーソナル・エリア・ネットワーク（ＰＡＮ）の解決策、およびコンピュータ、ＦＭラジオ、外部キーボードなどとの有線接続を含む。したがって、大半の新しい移動端末モデルがすでに適切な機能を内蔵しているように、充電デバイス（１０２）と移動端末（１０１）との間の適切なデータ転送の解決策を実施することは当業者にとって困難なことではない。
【００３６】
本発明によれば、専用のプロセッサとメモリとを備えたインテリジェント充電デバイスを有することは通常の使用で大半の場合に、例えば、来るべき第３世代移動端末の処理タスクを大幅に軽減することができる。この結果、バッテリ電力とコストを節約して移動端末のメモリと処理電力要件を節減する以外に、移動端末のエネルギー消費をさらに低減して待ち受けおよび稼動時間を延ばすことができる。移動端末は、さらに、軽量化と小型化が可能であり、見方を変えると節減された余分な電力は最高級の映像およびマルチメディアの用途に向けることができる。
【図面の簡単な説明】
【００３７】
【図１】バッテリ充電器（１０２）に挿入された移動端末（１０１）を示す図である。
【図２】端末（１０１）とバッテリ充電器（１０２）のブロック図である。
【図３】本発明の第１の実施形態を示す図である。
【図４】本発明の第２の実施形態を示す図である。
【図５】本発明の第３の実施形態を示す図である。
【図１】
2005521336.tif 000003
【図２】
2005521336.tif 000004
【図３】
2005521336.tif 000005
【図４】
2005521336.tif 000006
【図５】
2005521336.tif 000007
【国際調査報告】
2005521336.tif 000008
2005521336.tif 000009
2005521336.tif 000010